(57)【要約】【課題】２種類以上の異種の光源を用い、簡素化および小形化できるダウンライト１１を提供する。【解決手段】反射体２２の筒状部２５の内側に屈曲形蛍光ランプ１９を配置し、筒状部２５の周囲に環形蛍光ランプ２１を配置する。屈曲形蛍光ランプ１９の光を反射体２２の内面で反射し、直下方向へスポット的に照明する照明効果を得る。環形蛍光ランプ２１の光を反射体２２の外面で反射し、透光性を有する覆い部３１を透過させ、環状の覆い部３１が全体的に明るく光って照明する照明効果を得る。１つのダウンライト１１で２種類以上の異種の光源を用いて多様な照明効果を得る。反射体２２を共通にし、ダウンライト１１の簡素化および小形化する。【選択図】        図１
2004171963.tif 000002
【特許請求の範囲】
【請求項１】
２種類以上の異種の光源と；
異種の光源間に位置しこれら異種の光源からの光を反射する共通の反射体と；
を具備していることを特徴とする照明器具。
【請求項２】
反射体は、筒状部を有し、筒状部の内側と周囲とに異種の光源をそれぞれ配置した
ことを特徴とする請求項１記載の照明器具。
【請求項３】
反射体は、筒状部の周囲に配置される光源を覆うとともに透光性および反射性のいずれか一方を有する覆い部を有する
ことを特徴とする請求項２記載の照明器具。
【請求項４】
反射体は、筒状部の周囲に配置される光源に対向する断面略Ｕ字形で反射体の中心方向へ向けて傾けた反射面部を有する
ことを特徴とする請求項２または３記載の照明器具。
【発明の詳細な説明】
【０００１】
【発明の属する技術分野】
本発明は、２種類以上の異種の光源を用いる照明器具に関する。
【０００２】
【従来の技術】
従来、例えばダウンライトでは、１つの器具本体に１つの光源を配置し、この光源からの光を反射する反射体を用いている（例えば、特許文献１参照）。
【０００３】
また、光源として直管形または環状の蛍光ランプを用いる照明器具などでは、１つの器具本体に複数の直管形または環状の蛍光ランプつまり複数の同種類の光源を配置し、これら同種類の光源からの光を反射する反射体を用いている。
【０００４】
【特許文献１】
特開平９−１６７５１８号公報（第２頁ないし第３頁、図１）
【０００５】
【発明が解決しようとする課題】
従来の照明器具では、１つの器具本体に１つの光源または複数の同種類の光源を用いており、例えば光源の種類に応じた多様な照明効果の演出などには１つの照明装置では対応できない問題がある。
【０００６】
仮に、１つの照明器具に２種類以上の異種の光源を用いるとしても、異種の光源毎にそれぞれ専用の各反射体を組み合わせることになり、構造が複雑化および大形化するなどの問題が発生する。
【０００７】
本発明は、このような点に鑑みなされたもので、２種類以上の異種の光源を用い、簡素化および小形化できる照明器具を提供することを目的とする。
【０００８】
【課題を解決するための手段】
請求項１記載の照明器具は、２種類以上の異種の光源と；異種の光源間に位置しこれら異種の光源からの光を反射する共通の反射体と；を具備しているものである。
【０００９】
そして、この構成では、２種類以上の異種の光源間に位置してこれら異種の光源からの光を反射する共通の反射体を備えることにより、１つの照明器具で２種類以上の異種の光源を用いて多様な照明効果が得られ、そのうえで照明器具の簡素化および小形化が可能となる。
【００１０】
請求項２記載の照明器具は、請求項１記載の照明器具において、反射体は、筒状部を有し、筒状部の内側と周囲とに異種の光源をそれぞれ配置したものである。
【００１１】
そして、この構成では、反射体の筒状部の内側と周囲とに異種の光源をそれぞれ配置したため、異種の光源を区画し、異種の光源による異なった照明効果が明確に得られる。
【００１２】
請求項３記載の照明器具は、請求項２記載の照明器具において、反射体は、筒状部の周囲に配置される光源を覆うとともに透光性および反射性のいずれか一方を有する覆い部を有するものである。
【００１３】
そして、この構成では、反射体の透光性および反射性のいずれか一方を有する覆い部によって、筒状部の周囲に配置される光源を覆うため、より多様な照明効果が得られる。
【００１４】
請求項４記載の照明器具は、請求項２または３記載の照明器具において、反射体は、筒状部の周囲に配置される光源に対向する断面略Ｕ字形で反射体の中心方向へ向けて傾けた反射面部を有するものである。
【００１５】
そして、この構成では、反射体は、筒状部の周囲に配置される光源に対向する断面略Ｕ字形で反射体の中心方向へ向けて傾けた反射面部を有するため、配光パターンに広がりを持たせ、複数の照明器具を設置する場合にその設置間隔を広くして設置台数の削減が可能となる。
【００１６】
【発明の実施の形態】
以下、本発明の一実施の形態を図面を参照して説明する。
【００１７】
図１および図２に第１の実施の形態を示し、図１は照明器具の断面図、図２は照明器具の斜視図である。
【００１８】
１１は照明器具としてのダウンライトであり、このダウンライト１１は、天井面に埋め込み設置される器具本体１２を有し、この器具本体１２には上下方向に開口する筒状であって円筒状の胴部１３およびこの胴部１３の下端に天井面に係合するフランジ部１４が形成され、胴部１３の内面には例えば白色に塗装処理された内壁反射面１５が形成されている。胴部１３の上面は、下面が例えば白色に塗装処理された反射面を有する図示しないカバーで覆われている。
【００１９】
器具本体１２内には、異種の光源として屈曲形の発光管１８を有する屈曲形蛍光ランプ１９と環形の発光管２０を有する環形蛍光ランプ２１とが配置されているとともに、１つの反射体２２が配置されている。環形蛍光ランプ２１には、同種であるが直径の異なる２本の環形蛍光ランプ２１が用いられる。
【００２０】
反射体２２には、例えばポリカーボネイトなどの材料にて、器具本体１２の中央に同心円上に配置される筒状部２５、およびこの筒状部２５から器具本体１２の下面開口縁に向けて拡開するスカート部２６が一体に形成されている。筒状部２５の内側であって器具本体１２の中心部には、器具本体１２に取り付けられた図示しないソケットに着脱可能に接続された屈曲形蛍光ランプ１９が配置され、また、筒状部２５の周囲であって器具本体１２と同心円上には、器具本体１２に取り付けられた図示しないランプホルダで着脱可能に係止されるとともに図示しないソケットに着脱可能に接続された２本の環形蛍光ランプ２１が配置されている。
【００２１】
筒状部２５には、屈曲形蛍光ランプ１９の軸方向に対応して上下２段に分けられるとともに下方の照射方向へ向けて拡開する反射面部２７，２８が形成され、これら反射面部２７，２８の内面にマスキングによるアルミ蒸着処理などによって内側反射面２９が形成され、外面に白色塗装などによって外側反射面３０が形成されている。
【００２２】
スカート部２６は、筒状部２５の下側の反射面部２８の下端から器具本体１２の下面開口縁との間にわたって閉塞しており、照射方向に対して環形蛍光ランプ２１を覆って隠蔽する覆い部３１として構成され、例えば乳白色で環形蛍光ランプ２１の光が透過する透光性を有している。
【００２３】
反射体２２は器具本体１２に対して下方へ着脱可能に取り付けられ、環形蛍光ランプ２１の交換が可能になっている。反射体２２には器具本体１２のフランジ部１４を覆う環状のカバー３２が取り付けられている。
【００２４】
また、器具本体１２には、屈曲形蛍光ランプ１９および各環形蛍光ランプ２１をそれぞれ個別に点灯可能とする図示しない点灯装置などが配置されている。
【００２５】
そして、照明器具では、屈曲形蛍光ランプ１９の単独点灯、環形蛍光ランプ２１のタンク度点灯、屈曲形蛍光ランプ１９および環形蛍光ランプ２１の同時点灯の点灯状態に切り換えることができる。
【００２６】
屈曲形蛍光ランプ１９の点灯時には、屈曲形蛍光ランプ１９からの光が、反射体２２の筒状部２５の内側反射面２９で反射し、下方の照射方向へ向かう。そのため、ダウンライト１１の直下方向を主体としてスポット的に照明し、指向性のある照明効果が得られる。
【００２７】
環形蛍光ランプ２１の点灯時には、環形蛍光ランプ２１からの光が、反射体２２の筒状部２５の白色の外側反射面３０および器具本体１２の白色の内壁反射面１５で乱反射し、スカート部２６つまり透光性を有する覆い部３１を透過する。そのため、環状のスカート部２６が全体的に明るく光って照明し、拡散性のある照明効果が得られる。
【００２８】
したがって、１つのダウンライト１１で異種の屈曲形蛍光ランプ１９および環形蛍光ランプ２１を用いて多様な照明効果を得ることができ、そのうえで、異種の屈曲形蛍光ランプ１９および環形蛍光ランプ２１間に位置してこれら異種の屈曲形蛍光ランプ１９および環形蛍光ランプ２１からの光を反射する共通の反射体２２を備えることにより、ダウンライト１１の簡素化および小形化ができる。
【００２９】
さらに、反射体２２の筒状部２５の内側と周囲とに異種の屈曲形蛍光ランプ１９および環形蛍光ランプ２１をそれぞれ配置するため、異種の屈曲形蛍光ランプ１９および環形蛍光ランプ２１を区画し、異種の屈曲形蛍光ランプ１９および環形蛍光ランプ２１による異なった照明効果を明確に得ることができる。
【００３０】
さらに、反射体２２の透光性を有する覆い部３１によって、筒状部２５の周囲に配置される環形蛍光ランプ２１を覆うため、環形蛍光ランプ２１を隠蔽して外観を向上でき、覆い部３１が全体的に明るく光って照明する照明効果を得ることができる。
【００３１】
次に、図３および図４に第２の実施の形態を示し、図３は照明器具の断面図、図４は照明器具の斜視図である。
【００３２】
反射体２２のスカート部２６は、環形蛍光ランプ２１を下方の照射方向に対して覆うとともに、器具本体１２の内周面との間に環状の間隙部４１をあけて配置されており、筒状部２５と同様にスカート部２６の内面に内側反射面２９が、外面に外側反射面３０がそれぞれ形成されている。そのため、全てを反射面に使用する反射体２２は金属板で形成してもよい。
【００３３】
器具本体１２には環形蛍光ランプ２１の直接光および反射体２２で反射した反射光を間隙部４１から下方の照射方向へ反射させる間接照明用反射板４２が取り付けられ、この間接照明用反射板４２の内面に例えば白色に塗装処理された反射面４３が形成されている。
【００３４】
そして、屈曲形蛍光ランプ１９の点灯時には、屈曲形蛍光ランプ１９からの光が、反射体２２の筒状部２５の内側反射面２９で反射し、下方の照射方向へ向かう。そのため、ダウンライト１１の直下方向を主体としてスポット的に照明し、指向性のある照明効果が得られる。
【００３５】
環形蛍光ランプ２１の点灯時には、環形蛍光ランプ２１からの光が、反射体２２の筒状部２５およびスカート部２６の白色の外側反射面３０および間接照明用反射板４２の白色の反射面４３で乱反射し、間隙部４１を通じて下方の照射方向へ出射する。そのため、環状の間隙部４１を通じて間接照明用反射板４２が明るく光って間接照明し、拡散性のある照明効果が得られる。
【００３６】
したがって、上述した実施の形態と同様の作用効果が得られ、特に、反射体２２の反射性を有する覆い部３１によって、筒状部２５の周囲に配置される環形蛍光ランプ２１を覆うため、環形蛍光ランプ２１を隠蔽して外観を向上でき、間接照明する照明効果を得ることができる。
【００３７】
次に、図５および図６に第３の実施の形態を示し、図５は照明器具の断面図、図６は照明器具の斜視図である。
【００３８】
反射体２２の筒状部２５の下端から環状のカバー取付部５１を介してスカート部２６が上方へ跳ね上げ形成され、このスカート部２６に環状の外側反射部５２が形成され、筒状部２５の周囲に配置される環形蛍光ランプ２１の上方に対向配置されている。外側反射部５２の環形蛍光ランプ２１に対向する面には例えば白色に塗装処理された反射面５３が形成されている。
【００３９】
反射体２２には環形蛍光ランプ２１の下方を覆って隠蔽する覆い部３１である環状の透光性カバー５４が一体的に取り付けられている。透光性カバー５４は、例えば乳白色で環形蛍光ランプ２１からの光が透過する透光性を有し、内周縁部が環状の取付リング５５によって反射体２２のカバー取付部５１に図示しない複数の取付ねじによって取り付けられ、外周縁部が器具本体１２の内側に嵌まり込んだカバー３２の一部にパッキング５６を介して接触支持されている。取付リング５５には取付ねじを挿通する複数の取付孔５７が形成されている。
【００４０】
そして、屈曲形蛍光ランプ１９の点灯時には、屈曲形蛍光ランプ１９からの光が、反射体２２の筒状部２５の内側反射面２９で反射し、下方の照射方向へ向かう。そのため、ダウンライト１１の直下方向を主体としてスポット的に照明し、指向性のある照明効果が得られる。
【００４１】
環形蛍光ランプ２１の点灯時には、環形蛍光ランプ２１からの光が、反射体２２の外側反射部５２の白色の反射面５３および器具本体１２の白色の内壁反射面１５で乱反射し、透光性カバー５４つまり覆い部３１を透過する。そのため、環状の透光性カバー５４が全体的に明るく光って照明し、拡散性のある照明効果が得られる。
【００４２】
したがって、上述した実施の形態と同様の作用効果が得られ、特に、反射体２２の外側反射部５２によって環形蛍光ランプ２１の光を下方へ有効に反射でき、光照射効率を向上でき、また、透光性を有する覆い部３１によって、筒状部２５の周囲に配置される環形蛍光ランプ２１を覆うため、環形蛍光ランプ２１を隠蔽して外観を向上でき、覆い部３１が全体的に明るく光って照明する照明効果を得ることができる。
【００４３】
次に、図７ないし図１０に第４の実施の形態を示し、図７は照明器具の断面図、図８は照明器具の斜視図、図９は照明器具の配光特性図、図１０は照明器具の理想とする反射体の反射面部と光源との関係を説明する説明図である。
【００４４】
図５および図６に示した第３の実施の形態の照明器具において、上方に跳ね上げたスカート部２６によって構成される外側反射部５２に、断面略Ｕ字形で反射体２２の中心方向へ向けて照射方向を２０°〜６０°傾けた反射面部６１が形成されている。
【００４５】
透光性カバー５４は用いられず、反射面部６１の下面の開口部にルーバ体６２が着脱可能に取り付けられている。このルーバ体６２は、反射体２２の放射方向に沿って配置される複数のルーバ６３を有している。
【００４６】
そして、屈曲形蛍光ランプ１９の点灯時には、屈曲形蛍光ランプ１９からの光が、反射体２２の筒状部２５の内側反射面２９で反射し、下方の照射方向へ向かう。そのため、ダウンライト１１の直下方向を主体としてスポット的に照明し、指向性のある照明効果が得られる。
【００４７】
環形蛍光ランプ２１の点灯時には、環形蛍光ランプ２１からの光が、反射体２２の外側反射部５２の反射面部６１で反射し、反射体２２の中心方向へ向かって出射する。そのため、図９に示すように、水平方向に広がりを持った配光パターンの照明効果が得られる。なお、反射面部６１の傾きは、照射方向が２０°以下では配光パターンに広がりが得られず、６０°以上ではまぶしく感じるグレアが生じる。
【００４８】
したがって、上述した実施の形態と同様の作用効果が得られ、さらに、反射体２２は、筒状部２５の周囲に配置される環形蛍光ランプ２１に対向する断面略Ｕ字形で反射体２２の中心方向へ向けて傾けた反射面部６１を有するため、配光パターンに広がりを持たせることができ、天井面に間隔をあけて複数のダウンライト１１を設置する場合にその設置間隔を広くできて設置台数を削減できる。
【００４９】
また、図９に示す水平方向に広がりを持った配光パターンの照明効果を得るためには、理想図を図１０に示すように、照射方向に対して複数の環形蛍光ランプ２１を平行に配置することが好ましい。
【００５０】
なお、光源としては、屈曲形蛍光ランプ１９および環形蛍光ランプ２１に限らず、電球形蛍光ランプ、直管形蛍光ランプ、白熱ランプなどの各種の光源を用いてもよく、これら２種類以上の光源を用いてダウンライト１１を構成できる。
【００５１】
また、照明器具としては、ダウンライト１１に限らず、天井直付形照明器具、吊下形照明器具、壁面取付形照明器具などの照明器具にも適用でき、同様の作用効果が得られる。
【００５２】
【発明の効果】
請求項１記載の照明器具によれば、２種類以上の異種の光源間に位置してこれら異種の光源からの光を反射する共通の反射体を備えることにより、１つの照明器具で２種類以上の異種の光源を用いて多様な照明効果を得ることができ、そのうえで照明器具の簡素化および小形化ができる。
【００５３】
請求項２記載の照明器具によれば、請求項１記載の照明器具の効果に加えて、反射体の筒状部の内側と周囲とに異種の光源をそれぞれ配置したため、異種の光源を区画し、異種の光源による異なった照明効果を明確に得ることができる。
【００５４】
請求項３記載の照明器具によれば、請求項２記載の照明器具の効果に加えて、反射体の透光性および反射性のいずれか一方を有する覆い部によって、筒状部の周囲に配置される光源を覆うため、より多様な照明効果を得ることができる。
【００５５】
請求項４記載の照明器具によれば、請求項２または３記載の照明器具の効果に加えて、反射体は、筒状部の周囲に配置される光源に対向する断面略Ｕ字形で反射体の中心方向へ向けて傾けた反射面部を有するため、配光パターンに広がりを持たせることができ、複数の照明器具を設置する場合にその設置間隔を広くできて設置台数を削減できる。
【図面の簡単な説明】
【図１】本発明の第１の実施の形態を示す照明器具の断面図である。
【図２】同上照明器具の斜視図である。
【図３】本発明の第２の実施の形態を示す照明器具の断面図である。
【図４】同上照明器具の斜視図である。
【図５】本発明の第３の実施の形態を示す照明器具の断面図である。
【図６】同上照明器具の斜視図である。
【図７】本発明の第４の実施の形態を示す照明器具の断面図である。
【図８】同上照明器具の斜視図である。
【図９】同上照明器具の配光特性図である。
【図１０】同上照明器具の理想とする反射体の反射面部と光源との関係を説明する説明図である。
【符号の説明】
１１    照明器具としてのダウンライト
１９    光源としての屈曲形蛍光ランプ
２１    光源としての環形蛍光ランプ
２２    反射体
２５    筒状部
３１    覆い部
６１    反射面部
【図１】
2004171963.tif 000003
【図２】
2004171963.tif 000004
【図３】
2004171963.tif 000005
【図４】
2004171963.tif 000006
【図５】
2004171963.tif 000007
【図６】
2004171963.tif 000008
【図７】
2004171963.tif 000009
【図８】
2004171963.tif 000010
【図９】
2004171963.tif 000011
【図１０】
2004171963.tif 000012